(57)【要約】【課題】消費電力量を簡易に計測して給湯システムのリモコンに表示させ、ユーザが給湯リモコンでガス、水、電気の消費量を把握できるようにする。【解決手段】給湯システム１は給湯装置１１と３台の洗面リモコン１２，台所リモコン１３，風呂リモコン１４で構成されている。洗面リモコン１２は分電盤３の一対の電源線３１に流れる電流を検出する電流検出部１２１と、コンセントに供給される電圧を検出する電圧検出部１２２と、検出された電流及び電圧から消費電力を演算する電力演算部１２３を具備し、演算された消費電力に関する情報を表示部１２６に表示する。また、消費電力に関する情報は台所リモコン１３及び風呂リモコン１４に伝送され、両リモコンの表示部１３３，１４３にも表示される。給湯システム１のリモコン１２〜１４に消費電力の情報が表示されるので、ユーザは電力の消費状態を容易に把握できる。【選択図】  図２
2004150718.tif 000002
【特許請求の範囲】
【請求項１】
給湯装置とこの給湯装置に通信線で接続され、当該給湯装置を遠隔操作するための操作装置とで構成される給湯システムにおいて、
電気機器に駆動電力を供給する主電源から出力される電流を検出する電流検出手段と、
前記主電源から出力される電圧を検出する電圧検出手段と、
前記電流検出手段で検出される電流と前記電圧検出手段で検出される電圧とから前記電気機器の消費電力を演算する電力演算手段と、
前記電力演算手段で演算された消費電力に関する情報を表示する表示手段と、を備えたことを特徴とする給湯システム。
【請求項２】
前記電力演算手段と前記表示手段とは前記操作装置に設けられていることを特徴とする請求項１記載の給湯システム。
【請求項３】
前記給湯装置には複数の前記操作装置が通信線で接続され、前記電力演算手段はいずれか１の操作装置に設けられる一方、前記表示手段は全ての操作装置に設けられ、
前記電力演算手段で演算された消費電力に関する情報は、前記通信線により当該電力演算手段を有しない操作装置に伝送され、当該操作装置の表示手段に表示されることを特徴とする請求項１記載の給湯システム。
【請求項４】
前記主電源は商用電源であることを特徴とする請求項１乃至３のいずれかに記載の給湯システム。
【請求項５】
前記電流検出手段は、分電盤に配線された電源線に装着されるカレントトランスと、このカレントトランスから出力される電圧から前記電源線に流れる電流を演算する電流演算回路とからなることを特徴とする請求項４記載の給湯システム。
【請求項６】
前記電力演算手段で演算される消費電力は平均電力であり、前記表示手段は、前記電力演算手段で演算される平均電力に基づいて前記電気機器の電力消費状態を交流電力量計の回転円板による電力表示に模した画像で表示することを特徴とする請求項１乃至５のいずれかに記載の給湯システム。
【発明の詳細な説明】
【０００１】
【発明の属する技術分野】
本発明は、給湯装置とこの給湯装置に通信線で接続され、当該給湯装置を遠隔操作するための操作装置（リモートコントローラ）とで構成される給湯システムに関するものである。
【０００２】
【従来の技術】
従来、空気調和機などの電気機器において、リモートコントローラ（以下、リモコンという。）の表示部に当該電気機器の使用電力量もしくは使用電力料金を表示する技術が知られている（実用新案登録第３０６６０９５号公報）。
【０００３】
また、例えば特開平１０−２８２９６号公報には、電気および水道などの使用量を計測する自動検針システムや設備機器リモコンから構成される設備機器ネットワークシステムにおいて、需要家に設置されている設備機器のリモコンの内部にデータ加工部およびデータ蓄積部からなるデータ処理部を設け、管理センターより送信される情報データ（例えば使用料金の情報など）を加工し、当該情報データに加えてその加工情報（たとえば料金通知が行われた日時、先月の検針値など）をリモコンの表示部に表示したり、データ蓄積部に蓄積したりするシステムが提案されている。
【０００４】
また、例えば特開平９−８４１４６号公報には、商用交流電源線に家電機器のオン・オフ状態や電力消費量などをモニタする複数個のターミナルとコントローラとを並列接続し、コントローラが各ターミナルとデータ通信を行って当該ターミナルに接続された電機機器の稼動状態、電力消費量などの情報を収集し、機器全体の管理を行うネットワークを使用した家庭用電気製品の電力管理システムが提案されている。
【０００５】
一方、給湯装置とこの給湯装置を遠隔操作するリモコンとで構成される給湯システムにおいても、リモコンの操作内容や給湯装置の稼動状態だけでなく、給湯装置のガスや水の使用量をリモコンの表示部に表示させる技術が知られている。
【０００６】
【特許文献１】
実用新案登録第３０６６０９５号公報
【特許文献２】
特開平１０−２８２９６号公報
【特許文献３】
特開平９−８４１４６号公報
【０００７】
【発明が解決しようとする課題】
近年、各家庭におけるガス、電気、水等のエネルギー資源の消費量は増加する傾向にあるが、需要者の省エネ志向の高まりもあり、給湯システムやエアコンなどの機器においては、省エネルギー型の商品化が進められ、上記のように表示部に電力や燃料などの使用量を表示させるシステムも提案されている。
【０００８】
しかし、システムに表示されるエネルギー資源の消費量は、例えば電気機器の場合は電力消費量、給湯システムの場合はガスなどの燃料の消費量や水の消費量というように、一般にそのシステムの主たるエネルギー資源についてのものが殆どである。
【０００９】
家庭に給湯システムが設けられた場合、ガスなどの燃料や水の消費の大半は給湯システムで行われるため、それらの消費量を給湯システムのリモコンの表示部に表示させれば、ガスなどの燃料や水の凡その消費量が容易に把握できて便利である。
【００１０】
しかし、家庭で光熱費といわれるものが電気、ガス、水の使用量であることを鑑みると、給湯システムのリモコンの表示部に電気の凡その消費量も表示されると、その家庭での光熱費が容易に把握でき、需要者の省エネ意識をより高める意味でも好ましいが、現在、そのような給湯システムは提案されておらず、商品化もされていない。
【００１１】
本発明は、上記の点に鑑みて提案されたものであって、電力消費量を簡易に測定し、その測定結果を表示することにより家庭で消費される電気の消費量を容易に把握することのできる給湯システムを提供するものである。
【００１２】
【課題を解決するための手段】
本発明は、給湯装置とこの給湯装置に通信線で接続され、当該給湯装置を遠隔操作するための操作装置とで構成される給湯システムにおいて、前記電気機器に駆動電力を供給する主電源から出力される電流を検出する電流検出手段と、前記主電源から出力される電圧を検出する電圧検出手段と、前記電流検出手段で検出される電流と前記電圧検出手段で検出される電圧とから前記電気機器の消費電力を演算する電力演算手段と、前記電力演算手段で演算された消費電力に関する情報を表示する表示手段とを備えたものである（請求項１）。
【００１３】
なお、前記電力演算手段と前記表示手段とは前記操作装置に設けるとよい（請求項２）。また、前記給湯装置に複数の操作装置が通信線で接続される場合は、前記電力演算手段はいずれか１の操作装置に設ける一方、前記表示手段は全ての操作装置に設け、前記電力演算手段で演算された消費電力に関する情報は、前記通信線により当該電力演算手段を有しない操作装置に伝送し、当該操作装置の表示手段にも表示するとよい（請求項３）。
【００１４】
また、消費電力を演算する主電源は商用電源とし、この場合、商用電源から出力される電流を検出する電流検出手段は、分電盤に配線された電源線に装着されるカレントトランスと、このカレントトランスから出力される電圧から前記電源線に流れる電流を演算する電流演算回路とで構成するとよい（請求項４，５）。
【００１５】
また、前記電力演算手段で演算される消費電力は平均電力とし、前記表示手段には、前記電力演算手段で演算される平均電力に基づいて前記電気機器の電力消費状態を交流電力量計の回転円板による電力表示に模した画像で表示するとよい（請求項６）。
【００１６】
本発明によれば、電流検出手段で主電源から出力される電流が検出されるとともに、電圧検出手段で主電源から出力される電圧が検出され、検出された電流値と電圧値とから電気機器の消費電力が演算され、その消費電力に関する情報が表示手段に表示される。給湯システムの表示部に当該電気機器で消費される電力の情報が表示されるので、ユーザは凡その消費電力も容易に把握することができる。
【００１７】
特に、電気機器の電力消費状態を交流電力量計の回転円板による電力表示に模した画像で表示するようにすれば、現在の電力の消費状態（電力消費量が大きいか小さいか）を視覚的に確認することができる。
【００１８】
【発明の実施の形態】
図１は、本発明に係る給湯システムの各構成要素の配置状態の一実施形態を示す見取り図である。
【００１９】
給湯システム１は、給湯装置１１とこの給湯装置１１を遠隔操作するための３台のリモートコントローラ１２，１３，１４で構成されている。給湯装置１１は、給水経路に配設された燃焼器とこの燃焼器の燃焼を制御する制御装置とを備え、燃焼器で発生した熱を給水管に流れる水に伝達して所定の温度の湯にして台所、洗面台、風呂などの給湯箇所に供給するものである。給湯装置１１は家屋２の屋外の所定の位置、例えば浴室の外側に配設されている。給湯装置１１の設置位置は任意に選定可能で、屋外では浴室の外側に限定されるものではない。また、給湯装置１は屋内に設置可能なものもある。
【００２０】
リモートコントローラ１２，１３，１４は給湯装置１１の動作を遠隔操作するための操作装置で、リモートコントローラ１２は洗面台から給湯装置１１を遠隔操作する洗面リモコン、リモートコントローラ１３は台所から給湯装置１１を遠隔操作する台所リモコン、リモートコントローラ１４は風呂場から給湯装置１１を遠隔操作する風呂リモコンである。なお、給湯装置１１に接続されるリモートコントローラの数は３個に限定されるものではなく、適宜の数を接続することができる。
【００２１】
リモートコントローラ１２（以下、洗面リモコン１２という。）は、洗面所の内壁の適所に配設され、リモートコントローラ１３（以下、台所リモコン１３という。）は、台所の内壁の適所に配設され、リモートコントローラ１４（以下、風呂リモコン１４という。）は、風呂場の内壁の適所に配設されている。
【００２２】
洗面リモコン１２、台所リモコン１３および風呂リモコン１４は、給湯装置１１と２芯線からなる通信線１５で接続され、この通信線１５を介して給湯装置１１との間で所要のデータが交信される。また、通信線１５を介して給湯装置１１から各リモコン１２〜１４に駆動電源（直流電源）が供給される。データ通信は、例えば所定の搬送波をデータでＡＭ変調したＡＭ変調波により行われる。例えばデジタル信号１，０に対して搬送波の有，無を対応させること（ＡＳＫ＝Ａｍｐｌｉｔｕｄｅ  Ｓｈｉｆｔ  Ｋｅｙｉｎｇ）により行われる。通信線１５には給湯装置１１から各リモコン１２〜１４に駆動電源が供給されるので、給湯装置１１と各リモコン１２〜１４との間でデータが伝送される時は、ＡＭ変調波が駆動電源（直流電圧）に重畳されて伝送される。
【００２３】
洗面リモコン１２、台所リモコン１３および風呂リモコン１４は、給湯装置１１の遠隔操作に関する機能に加えて需要家の消費電力量を表示する機能を備えている。台所リモコン１３および風呂リモコン１４は、需要家の消費電力量を表示する機能のみを有するが、洗面リモコン１２は、その消費電力量を簡易に計測する機能も備えている。
【００２４】
なお、洗面リモコン１２に消費電力量の計測機能を設けているのは、本実施形態では洗面所に設けられた分電盤３から消費電流を検出する構成としているため、配線の都合上、消費電力量の計測機能を備えたリモコンが分電盤３に近接して配設され、洗面リモコン１２となるからである。従って、後述する消費電力を検出するための電流と電圧とを検出する構成が容易に構築できる場合は、台所リモコン１３や風呂リモコン１４などの他のリモコンに消費電力量の計測機能を設けてもよい。
【００２５】
図２は、給湯システム１を構成する給湯装置１１およびリモートコントローラ１２〜１４の内部構成を示すブロック図である。
【００２６】
給湯装置１１は電源部１１１、通信部１１２、制御部１１３、給湯制御部１１４及び記憶部１１５を備えている。電源部１１１は、例えばスイッチング電源からなり、例えば１００Ｖの交流電源から給湯装置１１内の各回路やリモコン１２〜１４内の各回路の駆動電源（直流電圧電源）を生成するものである。通信部１１２は、洗面リモコン１２、台所リモコン１３および風呂リモコン１４とのデータ通信を制御するものである。通信部１１２は、所定の搬送波を発生する搬送波発生回路、制御部１１２から入力されるデータで搬送波を上述したＡＳＫ方式によりＡＭ変調する変調回路、ＡＭ変調波を電源部１１１から入力される直流電源に重畳し、通信線１５を介してリモコン１２〜１４に出力する出力回路、通信線１５を介してリモコン１２〜１４から送信されたＡＭ変調波からデータを復調する復調回路などを有している。
【００２７】
制御部１１３は給湯装置全体の動作（リモコン間のデータ通信や給湯動作）を集中制御するものである。制御部１１３は、記憶部１１５のＲＯＭに記憶されている制御プログラムを実行することにより給湯装置全体の動作を制御する。
【００２８】
給湯制御部１１４は給湯動作を制御するものである。具体的には、給湯制御部１１４は、図略の燃焼器（熱交換機）の燃焼動作やこの燃焼器に燃料であるガスを供給する燃料供給器の燃料供給量や燃焼器に空気を供給する送風機の送風量の制御を行う。また、給湯制御部１１４は、熱交換器で生成された湯（熱湯）と供給される水とを混合して設定された給湯温度の湯を給水栓に供給する制御を行う。制御部１１３と給湯制御部１１４とは、共通のマイクロコンピュータで構成されている。
【００２９】
記憶部１１５は、制御部１１３の制御動作に必要なデータを記憶するものである。記憶部１１５はＲＡＭおよびＲＯＭからなり、ＲＯＭには制御部１１３の制御プログラムやこの制御プログラムを実行するために必要なディフォルトデータなどが記憶されている。また、ＲＡＭは制御部１１３が制御プログラムを実行するためのワークエリアを提供するもので、ＲＯＭから読み出された制御プログラムやこの制御プログラムの実行により生成される種々のデータを一時的に保存する。なお、記憶部１１５はそのＲＡＭ及びＲＯＭの一部または全部を制御部１１３や給湯制御部１１４と一体のマイクロコンピュータで構成してもよい。
【００３０】
洗面リモコン１２は、電流検出部１２１、電圧検出部１２２、電力演算部１２３、制御部１２４、操作部１２５、表示部１２６、記憶部１２７および通信部１２８を備えている。電流検出部１２１、電圧検出部１２２、電力演算部１２３および制御部１２４は消費電力量を簡易に計測する機能を果たす部分であり、制御部１２４、操作部１２５、表示部１２６、記憶部１２７および通信部１２８は操作内容や給湯装置１１の動作状態を表示する機能を果たす部分である。
【００３１】
電流検出部１２１は、ＡＣ１００ＶやＡＣ２００Ｖなどの家庭に引き込まれた商用電源から出力される交流電流を検出するものである。電流検出部１２１には、一対のカレントトランス４が接続されている。カレントトランス４と電流検出部１２１とによってクランプ電流計が構成されている。なお、本実施形態では２個のカレントトランス４を用いているが、１個のカレントトランス４を１本の電源線３１に取り付けた構成であってもよい。
【００３２】
カレントトランス４は開閉可能な環状鉄心にコイルを巻き付けたものであり、洗面所の内壁に取り付けられた分電盤３（図１参照）に配線された電源線３１を環状鉄心が挟むようにして取り付けられる。電源線３１に電流が流れると当該電流に比例した電圧がコイルに発生するから、この電圧を電流検出部１２１で検出することにより電源線３１に流れる交流電流ｉ（ｔ）（瞬時交流電流）が非接触で検出される。なお、電流検出部１２１に入力される交流電流はコンデンサインプットにおける電流波形のように正弦波にならない歪波形であってもよい。
【００３３】
電流検出部１２１は、カレントトランス４から入力される電圧（アナログ値）をデジタル値の電圧に変換するＡＤ変換回路とこのデジタル電圧値をカレントトランス４の特性に基づき電源線３１に流れる電流値（デジタル値）に変換するＶＩ変換回路とを有している。電流検出部１２１は、所定の周期τ（例えば商用電源の周波数が６０Ｈｚの場合、（１／６０）×（１／２０）秒）でカレントトランス４から入力される電圧をサンプリングし、そのサンプリング電圧をデジタル電圧値にＡＤ変換した後、電源線３１に流れる電流値に変換して電力演算部１２３に入力する。なお、Ｖ／Ｉ変換やＡ／Ｄ変換の処理を電力演算部１２３で行うようにしてもよい。
【００３４】
電圧検出部１２２は、上記商用電源から出力される交流電圧を検出するものである。電圧検出部１２２には、図略のコンセントに接続するための電源プラグ５が接続されている。電源プラグ５をコンセントに差し込むと、電圧検出部１２２に分電盤３の電源線３１からコンセントに供給されるＡＣ１００ＶもしくはＡＣ２００Ｖの交流電圧ｖ（ｔ）（瞬時交流電圧）が入力されるから、電圧検出部１２２はその交流電圧の電圧値を所定の周期τでサンプリングし、更にデジタル値にＡＤ変換して電力演算部１２３に入力する。なお、検出電圧のＡ／Ｄ変換の処理を電力演算部１２３で行うようにしてもよい。
【００３５】
電力演算部１２３は、電流検出部１２１から入力される瞬時交流電流ｉ（ｔ）と瞬時交流電圧ｖ（ｔ）とから電力を演算するものである。電力演算部１２３は、瞬時交流電流ｉ（ｔ）と瞬時交流電圧ｖ（ｔ）とを乗算して瞬時電力ｐ（ｔ）＝ｉ（ｔ）×ｖ（ｔ）を算出する。また、電力演算部１２３は、瞬時電力ｐ（ｔ）を商用周波数の一周期分について積算し、その積算値を周期Ｔ（例えば６０Ｈｚの場合、Ｔ＝１／６０秒）で除することにより平均電力Ｐａｖｅ＝Σｐ（ｔ）／Ｔを算出する。電力演算部１２３で演算された瞬時電力ｐ（ｔ）および平均電力Ｐａｖｅは制御部１２４に入力される。制御部１２４は、電力演算部１２３から入力される瞬時電力ｐ（ｔ）および平均電力Ｐａｖｅのデータに基づいて表示部１２６の消費電力量の表示態様に応じた表示データを生成し、表示部１２６に出力する。
【００３６】
制御部１２４はリモコン全体の動作（給湯装置間のデータ通信や表示動作等）を集中制御するもので、主としてマイクロコンピュータで構成されている。制御部１２４は、記憶部１２７のＲＯＭに記憶されている制御プログラムを実行することによりリモコン全体の動作を制御する。なお、上述した電流検出部１２１、電圧検出部１２２及び電力演算部１２３で行う処理の一部を、制御部１２４を構成するマイクロコンピュータで行うようにしてもよい。
【００３７】
操作部１２５は、主として給湯装置１１に対する遠隔操作の操作情報を入力するものである。操作部１２５は、例えば運転オン／オフ、給湯温度及び風呂の水位の設定、風呂の自動運転モード（浴槽内の温度と水位を設定された温度と水位に自動調整するモード）の設定、電力表示の切換えなどの操作ボタンとこの操作ボタンの操作を電気信号に変換して制御部１２４に入力するスイッチとからなる。操作ボタンは、洗面リモコン１２の操作パネルに設けられている。
【００３８】
表示部１２６は、操作部１２５の操作内容、給湯装置１１の動作状態などの情報および電力演算部１２３で演算される消費電力量（需要家の電気機器の消費電力量）を表示するものである。表示部１２６は、例えば液晶ディスプレイやＬＥＤなどで構成され、操作ボタンと同様に洗面リモコン１２の操作パネルに設けられている。運転オン／オフ、風呂の自動運転モードの設定状態の報知などはＬＥＤ表示で行われ、設定された給湯温度、消費電力量などの文字情報は液晶ディスプレイに表示される。
【００３９】
図３は、洗面リモコン１２の操作パネルの一例を示す図である。操作パネル６は横長長方形状を成し、右端部に運転オン／オフや風呂の自動運転モードの設定状態を報知するためのＬＥＤ表示６１ａ，６１ｂ、給湯温度や水位などを設定するための操作ボタン６２，６３、運転オン／オフの操作ボタン６４および風呂の自動運転モードを設定する操作ボタン６５が縦に並べて配設されている。
【００４０】
操作ボタン６２は給湯温度の設定値や水位の設定値を上昇させるための操作ボタンで、例えば給湯温度設定の場合、操作ボタン６２を押す毎に給湯温度の設定値が１度ずつ上昇する。一方、操作ボタン６３は給湯温度の設定値や水位の設定値を下降させるための操作ボタンで、例えば給湯温度設定の場合、操作ボタン６３を押す毎に給湯温度の設定値が１度ずつ下降する。なお、操作ボタン６２，６３を所定時間以上押し続けた状態にすると、その間、給湯温度の設定値が所定の設定温度領域内において所定のピッチで連続的に１度ずつ上昇もしくは下降させることができる。また、水位設定の場合は、予め設定された例えば１１段階の水位（水量）が操作ボタン６２，６３の操作により選択設定される。
【００４１】
運転ボタン６４は、押し下げる毎に運転オンと運転オフとが交互に切り替わる操作ボタンである。運転オンの状態になるとＬＥＤ６１ａが点灯し、運転オフの状態になるとＬＥＤ６１ａが消灯する。また、風呂自動ボタン６５は、押し下げる毎に自動運転モードのオンとオフとが交互に切り替わる操作ボタンである。自動運転モードオンの状態になるとＬＥＤ６１ｂが点灯し、自動運転モードオフの状態になるとＬＥＤ６１ｂが消灯する。
【００４２】
操作パネル６の中央部から左端部に亘っては液晶ディスプレイ６６が配設され、その下部に電力の表示形式を切り換える操作ボタン６７が設けられている。液晶ディスプレイ６６には設定された湯温を表示する表示領域６６１、現在時刻を表示する表示領域６６２および消費電力量を表示する表示領域６６３が設けられている。操作ボタン６７により表示領域６６３における消費電力量の表示／非表示、表示形式（後述する画像による表示形式と数値による表示形式など）の切換えが可能になっている。なお、設定された水位やその他の情報（例えば風呂の温度の設定温度や燃焼炎の検出状態）を表示する表示領域は便宜上、省略している。
【００４３】
表示領域６６１には、「給湯」の文字表示の下部に設定された給湯温度が摂氏の単位で数値表示される。また、表示領域６６２には、現在時刻（制御部１２４の具備するタイマーにより計時される）がデジタル表示される。また、表示領域６３には、「電力」の文字表示の下部に電力の消費状態を交流電力量計の回転円板による電力表示に模した画像で表示するためのバー表示７が設けられている。このバー表示７により、図４に示すように、交流電力量計の回転円板を正面から見たときの回転円盤の回転に基づく指標の横方向移動に相当する表示が行われる。なお、数値表示の場合は、バー表示７は消灯され、「電力」の文字の横に消費電力の情報（例えば瞬時電力ｐ（ｔ）や平均電力Ｐａｖｅなどの値）が数値表示される。
【００４４】
図４において、バー表示７内の斜線部は、交流電力量計の回転円板の側面に形成された回転速度を示す黒い指標に相当するもので、縦方向の１３個のバー表示７は、指標８が左端から右端に移動表示される状態を示している。
【００４５】
交流電力量計は、回転円板に負荷電力Ｐ＝ＶＩｃｏｓφ（Ｖ：交流電圧の実効値，Ｉ：交流電流の実効値，φ：交流電圧と交流電流の位相差）に比例した駆動トルクＴＤと、回転円板の回転速度に比例した制御トルクＴＣとを発生させ、回転円板を駆動トルクＴＤと制御トルクＴＣとが平衡しながら回転するように構成したものである。回転円板の単位時間の回転数ｎは負荷電力Ｐに比例するから、単位時間当たりの負荷電力が大きいときは回転円板が速く回転し、単位時間当たりの負荷電力が小さいときは回転円板が遅く回転するようになっている。すなわち、回転円板の回転速度によって電力の消費状態が分かるようになっている。
【００４６】
従って、図４に示すように、交流電力量計の回転円板の回転速度を示す指標８を左端から右端に移動表示させることで、現在の電力の消費状態（消費電力の大小）が洗面リモコン１２の表示部１２６で分かるようになっている。
【００４７】
なお、同図（ａ）は電力の消費量が小さい場合の表示態様で、指標８は小ピッチで左端から右端に移動表示される。また、同図（ｂ）は電力の消費量が大きい場合の表示態様で、指標８は大ピッチで左端から右端に移動表示される。バー表示７における指標８の移動表示のデータは、制御部１２４によって電力演算部１２３から入力される瞬時電力ｐ（ｔ）、平均電力Ｐａｖｅを用いて作成され、表示部１２６に入力される。例えば、このような視覚的な表示では電力の消費量の大小の概要が分かればよいため、指標８の移動表示用の画像データを予め複数個作成しておき、制御部１２４は、平均電力Ｐａｖｅの大小に基づいて対応する画像データを選択することにより表示データを作成する。
【００４８】
なお、消費電力の表示態様は、図４の表示態様に限定されるものではなく、種々の方法を採用することができる。例えば瞬時電力ｐ（ｔ）や平均電力Ｐａｖｅをデジタル表示に代えて棒グラフなどで表示してもよく、平均電力Ｐａｖｅに所定の時間を乗じた電力量（ワット時）を算出して表示させてもよい。あるいは、単位時間当たりの電力量に料金単価を乗じて単位時間当たりの使用料金の概算を算出し、表示させるようにしてもよい。
【００４９】
図２に戻り、記憶部１２７は、制御部１２４の制御動作に必要なデータを記憶するものである。記憶部１２４はＲＡＭおよびＲＯＭからなり、ＲＯＭには制御部１２４の制御プログラムやこの制御プログラムを実行するために必要なディフォルトデータなどが記憶されている。また、ＲＡＭは制御部１２４が制御プログラムを実行するためのワークエリアを提供するもので、ＲＯＭから読み出された制御プログラムやこの制御プログラムの実行により生成される種々のデータ（設定された給湯温度など）を一時的に保存する。また、電力演算部１２３から入力される消費電力に関する情報もＲＡＭに保存される。なお、記憶部１２７はそのＲＡＭ及びＲＯＭの一部または全部を、制御部１２４と一体のマイクロコンピュータで構成してもよい。
【００５０】
通信部１２８は、給湯装置１１とのデータ通信を制御するものである。通信部１２８は、所定の搬送波を発生する搬送波発生回路、制御部１２８から入力されるデータで搬送波を上述したＡＳＫ方式によりＡＭ変調する変調回路、通信線１５を介してＡＭ変調波を給湯装置１１に出力する出力回路、通信線１５を介して給湯装置１１から送信されたＡＭ変調波と駆動電源を分離する電源分離回路、ＡＭ変調波からデータを復調する復調回路などを有している。
【００５１】
台所リモコン１３は、制御部１３１、操作部１３２、表示部１３３、記憶部１３４および通信部１３５を備えている。また、風呂リモコン１４は、制御部１４１、操作部１４２、表示部１４３、記憶部１４４および通信部１４５を備えている。台所リモコン１３の制御部１３１〜通信部１３５と風呂リモコン１４の制御部１４１〜通信部１４５の機能は、洗面リモコン１２の制御部１２４、操作部１２５、表示部１２６、記憶部１２７および通信部１２８とほぼ同一である。また、台所リモコン１３及び風呂リモコン１４の操作パネルの構成も図３に示すものと略同一で、台所リモコン１３の表示部１３３および風呂リモコン１４の表示部１４３の表示機能も洗面リモコン１２の表示部１２６と略同一である。従って、ここでは詳細説明を省略する。
【００５２】
台所リモコン１３および風呂リモコン１４には、洗面リモコン１２から電力演算部１２３で演算された消費電力の情報や表示部１２６への電力表示のデータが給湯装置１１を経由して伝送されるため、両リモコンには消費電力を検出するための電流検出部１２１〜電力演算部１２３は設けられてない。
【００５３】
上記構成の給湯システム１は、洗面リモコン１２、台所リモコン１３および風呂リモコン１４のいずれかで運転ボタン６４が押され、かつ給湯栓などが開かれて給湯装置１１への所定流量以上の通水があると、給湯装置１１の給湯動作が開始される。例えば台所リモコン１３で運転ボタン６４が押されると、その操作情報が給湯装置１１に伝送され、更に給湯装置１１から洗面リモコン１２および風呂リモコン１４に伝送される。
【００５４】
給湯装置１１の制御部１１３は、運転ボタン６４の操作情報を受信し、その操作情報が運転オンであると判別すると、給湯待機状態となり、この状態で給湯栓が開かれ、かつ給湯装置１１への所定流量以上の通水があると、給湯制御部１１４を介して燃焼器を動作させ、設定された温度の湯を供給する。なお、設定された給湯温度は前回給湯時に設定された温度が記憶部１１５に記憶されており、運転オンになると、記憶部１１５に記憶された温度が初期値として設定される。
【００５５】
一方、洗面リモコン１２では、給湯装置１１から運転オンの情報が伝送されると、表示部１２６の運転オンのＬＥＤ表示６１ａが点灯されるとともに、同時に伝送された給湯装置１１の記憶部１１５に記憶された給湯温度の設定値を得て表示領域６６１に給湯温度が表示される。また、現在時刻が表示領域６６２に表示される。この動作は台所リモコン１３および風呂リモコン１４でも同様に行われる。
【００５６】
洗面リモコン１２では、更に電流検出部１２１〜電力演算部１２３により消費電力量が演算され、この演算値に基づく電力の消費状態が表示領域６６３に表示される。また、この演算値の情報および表示領域６６３の電力表示用のデータが給湯装置１１を経由して台所リモコン１３および風呂リモコン１４に伝送され、これらのリモコンの液晶ディスプレイにも洗面リモコン１２と同様に表示される。
【００５７】
給湯装置１１と洗面リモコン１２〜風呂リモコン１４との間では、所定のタイミングで操作ボタンの操作情報や消費電力の情報が伝送されており、操作内容に変化がない場合は現在状態と同一の情報が伝送されるため、実質的に表示内容に変化はない。洗面リモコン１２で算出される消費電力の情報は時々刻々変化しているため、台所リモコン１３及び風呂リモコン１４にはその変化情報が伝送され、両リモコンには電力の消費状態が液晶ディスプレイに表示される。洗面リモコン１２の表示領域６６３に電力の消費状態が表示されることは言うまでもない。
【００５８】
これにより、給湯システム１の洗面リモコン１２〜風呂リモコン１４に電力の消費状態がリアルタイムで表示され、ユーザは電力の消費量も容易に把握することができる。なお、上記実施形態では、給湯システム１の洗面リモコン１２〜風リモコン１４に当該給湯システム１のガスの消費量や水の消費量を表示させるようにはしていないが、これらの消費量を表示させるようにしてもよい。このようにすれば、給湯システム１のリモコンで光熱費の基本要素であるガス、電気、水の消費量を全て把握することができるので、ユーザの省エネ意識を高めるのに寄与することができる。
【００５９】
なお、上記実施形態では電力演算のための交流電流の検出を分電盤３に配線された電源線３１を用いていたが、分電盤３以外の商用電源を供給する主電源の電源線を利用してもよい。また、上記実施形態では交流電源と交流電流の検出点を異ならせていたが、検出点を同一にしてもよい。
【００６０】
また、上記実施形態では、洗面リモコン１２に消費電力量の検出機能を設けていたが、消費電力量を検出する装置および演算する装置の一部または全部を洗面リモコン１２とは別体とし、洗面リモコン１２〜風呂リモコン１４に通信可能に接続する構成としてもよい。
【００６１】
また、上記実施形態では商用電源の電力消費量を検出する構成としたが、自家発電による電源を備えている場合は、当該自家発電電源の電力消費量を検出するようにしてもよい。
【００６２】
また、上記実施形態では、給湯装置が一般給湯機能と風呂釜機能とを備えた構成を示したが、一般給湯機能専用の給湯装置や、温水暖房機能を併せ持つ給湯装置や、温水暖房機能専用の熱源機などに代えてもよく、ガス燃焼器を備えた給湯装置に代えて、石油燃焼器を備えた給湯装置や電気温水器であってもよい。
【００６３】
【発明の効果】
以上説明したように、本発明に係る給湯システムによれば、電気機器の消費電力量を検出し、その消費電力に関する情報を操作装置の表示部に表示させるようにしたので、給湯システムの表示部において、電力消費量も把握することができる。これによりユーザは光熱費の主たる要素である電気の消費量を容易に把握することができる。
【００６４】
特に、電気機器の電力消費状態を交流電力量計の回転円板による電力表示に模した画像で表示するようにしたので、現在の電力の消費状態（電力消費量が大きいか小さいか等）を簡単かつ視覚的に確認することができる。
【図面の簡単な説明】
【図１】本発明に係る給湯システムの各構成要素の配置状態の一実施形態を示す見取り図である。
【図２】給湯システムを構成する給湯装置と３台のリモートコントローラの内部構成を示すブロック図である。
【図３】洗面リモコンの操作パネルの一例を示す図である。
【図４】リモコンの表示部に消費電力量を交流電力量計の回転円板による電力表示に模した画像で表示する一例を示す図で、（ａ）は消費電力量が小さい場合の表示例、（ｂ）は消費電力量が大きい場合の表示例である。
【符号の説明】
１  給湯システム
１１  給湯装置
１２  洗面リモコン
１１２，１２８，１３５，１４５  通信部
１１３，１２４，１３１，１４１    制御部
１１４  給湯制御部
１１５，１２７，１３４，１４４  記憶部
１２１  電流検出部
１２２  電圧検出部
１２３  電力演算部
１２５，１３２，１４２  操作部
１２６，１３３，１４３  表示部
３  分電盤
４  カレントトランス
５  電源プラグ
６  リモコンの操作パネル、
６１  ＬＥＤ表示
６２，６３  温度など設定用アップダウン操作ボタン
６４  運転ボタン
６５  風呂自動運転ボタン
６６  液晶ディスプレイ
６６１  給湯設定温度表示領域
６６２  現在時刻表示領域
６６３  消費電力表示領域
７  バー表示
８  指標
【図１】
2004150718.tif 000003
【図２】
2004150718.tif 000004
【図３】
2004150718.tif 000005
【図４】
2004150718.tif 000006